(57)【特許請求の範囲】
【請求項１】
地盤に立設した複数本の支柱に落石防護網の上端を固定すると共に、その上方に複数個のアンカーを設置し、これらアンカーと前記支柱にそれぞれ滑車を取り付け、これらアンカーと前記支柱との間に連続したロープ材を前記滑車を介して上下交互に架け渡し、このロープ材の端部を固定した落石防護網構造において、前記アンカーと前記支柱にそれぞれ前記滑車を上下方向揺動可能に取り付け、前記ロープ材の途中に、所定以上の張力が作用したとき該ロープ材の摩擦摺動を許容する緩衝具を設けたことを特徴する落石防護網構造。
【請求項２】
前記防護網の横ロープ材の端部を固定し、前記横ロープ材の端部側に前記緩衝具を設けたことを特徴とする請求項１記載の落石防護網構造。
【請求項３】
前記横ロープ材の途中にループ部を形成し、このループ部の前記横ロープ材の重合部を所定の摩擦力で挟持するループ部緩衝具を備えることを特徴とする請求項１又は２記載の落石防護網構造。
【請求項４】
両端の前記支柱と、これら両端の支柱の左右外側で上方にアンカーを設け、このアンカーと前記支柱とを控えロープ材により連結し、この控えロープ材の途中に前記緩衝具を設けたことを特徴とする請求項１又は２記載の落石防護網構造。
【発明の詳細な説明】
【技術分野】
【０００１】
本発明は、斜面における落石による事故を防止するために設置する落石防護網構造に関する。
【背景技術】
【０００２】
従来、この種のものとして、縦横に組み合わせたロープ材と、縦横ロープ材を覆う金網とよりなる網体によって斜面を覆い、縦ロープ材の上端部及び横ロープ材の両端部を斜面に固定して取り付け、縦横ロープ材の交叉部の各横ロープ材と縦ロープ材とを一定の挟持力で保持する連結金具で連結して、挟持摩擦力以上の力が加わった際に、ロープ材の挟持箇所を移動することで緩衝作用が発生する落石防止工法（例えば特許文献１）が提案されている。
【特許文献１】特開２００２−２２７１４０号公報
【発明の開示】
【発明が解決しようとする課題】
【０００３】
上記落石防止工法では、縦ロープ材の端部に連結金具を設け、落石により縦ロープ材に所定以上の張力が加わると、縦ロープ材の端部が連結金具に摩擦摺動することにより落石のエネルギーを吸収することができる。
【０００４】
しかし、実際には、落石箇所の周囲の縦ロープ材に所定以上の張力が加わり、その他の部分には摺動が発生しないから、各縦ロープ材に連結金具を設けることによるコスト上昇の割りには、エネルギー吸収効果を向上することができない面がある。
【０００５】
そこで、本発明は、縦ロープ材における緩衝構造の簡略化が可能で、効率よくエネルギー吸収効果を得ることができる落石防護網設置構造を提供することを目的とする。
【課題を解決するための手段】
【０００６】
請求項１の発明は、地盤に立設した複数本の支柱に落石防護網の上端を固定すると共に、その上方に複数個のアンカーを設置し、これらアンカーと前記支柱にそれぞれ滑車を取り付け、これらアンカーと前記支柱との間に連続したロープ材を前記滑車を介して上下交互に架け渡し、このロープ材の端部を固定した落石防護網構造において、前記アンカーと前記支柱にそれぞれ前記滑車を上下方向揺動可能に取り付け、前記ロープ材の途中に、所定以上の張力が作用したとき該ロープ材の摩擦摺動を許容する緩衝具を設けたものである。
【０００７】
また、請求項２の発明は、前記防護網の横ロープ材の端部を固定し、前記横ロープ材の端部側に前記緩衝具を設けたものである。
【０００８】
また、請求項３の発明は、前記横ロープ材の途中にループ部を形成し、このループ部の前記横ロープ材の重合部を所定の摩擦力で挟持するループ部緩衝具を備えるものである。
【０００９】
また、請求項４の発明は、両端の前記支柱と、これら両端の支柱の左右外側で上方にアンカーを設け、このアンカーと前記支柱とを控えロープ材により連結し、この控えロープ材の途中に前記緩衝具を設けたものである。
【発明の効果】
【００１０】
請求項１の構成によれば、網体又は支柱が落石の衝撃力を受けると、連続したロープ材に張力が発生し、全てのアンカーがその張力を支持し、全てのアンカー及びロープ材の全体で落石の力に対抗する。そして、連続するロープ材に所定以上の張力が作用すると、緩衝具において、ロープ材が摩擦摺動して衝撃力を吸収する。従って、従来のようにアンカーに連結した全てのロープ材に緩衝具を設ける必要が無くなる。また、滑車が上下方向揺動可能に設けられているから、支柱が傾動しても、連続するロープ材を有効に作用させることができる。
【００１１】
また、請求項２の構成によれば、網体が落石の衝撃力を受け、横ロープ材に所定以上の張力が作用すると、緩衝具において、ロープ材が摩擦摺動して衝撃力を吸収する。
【００１２】
また、請求項３の構成によれば、網体に落石の衝撃力を受け、横ロープ材に所定以上の張力が作用すると、ループ部が縮小することにより、重合部において、横ロープ材が摩擦摺動して衝撃力を吸収する。
【００１３】
また、請求項４の構成によれば、網体又は支柱が落石の衝撃力を受け、控えロープ材に所定以上の張力が作用すると、緩衝具において、控えロープ材が摩擦摺動して衝撃力を吸収する。また、控えロープ材は左右外側向きに配置されているため、支柱の左右方向の倒れを規制できる。
【発明を実施するための最良の形態】
【００１４】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる落石防護網構造を採用することにより、従来にない落石防護網構造が得られ、その落石防護網構造を夫々記述する。
【実施例１】
【００１５】
以下、本発明の落石防護網構造の実施例について図１〜図１２を参照して説明する。落石防護網構造１は、斜面Ｓに複数立設した支柱２と、斜面Ｓを覆うように設けられた網体３とを備える。前記支柱２は左右方向に間隔をおいて立設され、前記網体３は網目状に配置した縦，横ロープ材４，５とこれら縦，横ロープ材４，５の間を塞ぐように設けられた網たる金網６とからなり、前記縦ロープ材５は、前記支柱２に対応して配置されている。
【００１６】
図２に示すように、前記斜面Ｓに岩盤用のアンカー11を固定し、このアンカー11により支柱ベース12を斜面Ｓに固定し、この支柱ベース12に枢軸13により支柱２の下部を回動可能に連結し、その支柱２は前後方向（山谷方向）に傾動可能に構成されている。
【００１７】
前記複数の支柱２の上部に、前記網体３の上部を連結し、具体的には、前記縦ロープ材４の上端を、シャックルなどの回動連結具14により、上下方向回動可能に支柱２の上部に連結し、また、網体３の最上段の横ロープ材５を連結箇所15において支柱２の上部に連結している。尚、回動連結具14は、Ｕ字金具14Ａと、このＵ字金具14Ａの開口に着脱自在に設ける連結軸14Ｂとを備える。
【００１８】
支柱２の上方である山側の斜面Ｓには、支柱２，２間の位置にアンカー21を設置すると共に、両端の支柱２，２の左右外側で、支柱２，２間の距離の約２分の１の位置に両端アンカー21Ａを設置する。前記アンカー21には連結体22により滑車23を設け、前記連結体22は前記アンカー21に連結するシャックルなどの前記連結具14と、この連結具14に横方向の枢軸たる連結軸14Ａにより連結された滑車枠26とを備え、この滑車枠26の回転中心軸24を中心に前記滑車23が回転し、また、枢軸たる連結軸14Ｂを中心に滑車23が上下方向揺動可能に設けられている。
【００１９】
一方、支柱２の上端には連結体22Ａにより滑車23Ａを設け、この連結体22Ａは前記アンカー21に連結軸14Ｂにより回転可能に連結するシャックルなどの前記連結具14と、この連結具14に上下方向遥動可能により連結された滑車枠26とを備え、この滑車枠26の回転中心軸24を中心に前記滑車23Ａが回転し、連結具14に対して滑車枠26が揺動することにより滑車23Ａが上下方向揺動可能に設けられている。尚、前記滑車23Ａが前記網体３の上端に設けた吊り支点である。
【００２０】
そして、連続したロープ材７を滑車23，23Ａに架装して上下交互にジグザクに架け渡し、そのロープ材31の両端を、前記両端のアンカー21Ａ，21Ａに連結する。尚、ロープ材７の端部とアンカー21Ａとは、シャックルなどの連結具14により、上下方向揺動可能に連結している。
【００２１】
前記ロープ材31の途中には、緩衝具８を設け、この例では、両端のアンカー21Ａと両端の滑車23との間において、緩衝具８を設けており、緩衝具８の位置において、ロープ材７を分割し、それらロープ材７の分割端部７Ａ，７Ｂを緩衝具８により連結している。
【００２２】
前記緩衝具８は、前記ロープ材４を所定の摩擦力で把持する一対の把持体34，34を備え、これら把持体34，34の合せ面に、ロープ材７が嵌合する嵌合溝35，35を形成し、両把持体34，34をボルトナットなどの締付手段36により締め付け固定する。相互に固定された把持体34，34の側面には、Ｕボルト37が係合する係合溝38，38が形成され、この係合溝38，38にＵボルト37の両端部37Ｔ，37Ｔが係合する。また、Ｕボルト37の両端部37Ｔ，37Ｔを挿通するプレート39を備え、このプレート39にはロープ材７の余長部たる端部側７Ｂを遊挿する溝部40が形成されている。そして、Ｕボルト37を前記ロープ材７の端部７Ａの輪部７Ｗに連結し、Ｕボルト37の両端部37Ｔ，37Ｔ間に、ロープ材７の端部側７Ｂを締め付けた把持体34，34を嵌め入れ、さらに、端部37Ｔ，37Ｔを押さえ板39に挿通し、端部37Ｔ，37Ｔにナット41を螺合する。そして、前記一対の把持体34，34により、ロープ材７を所定の摩擦力で把持する把持具32を構成し、また、図１０に示すように、緩衝具８は、前記２つの把持具32，32を並べて設けたタイプのものでもよい。このようにＵボルト37に複数の把持具32を並べて設けることができ、また、さらに、Ｕボルト37を長くすれば３個以上の把持具32を並べて設けることもできる。
【００２３】
そして、ロープ材７の端部側７Ｂには、前記把持具32に係止するストッパ43を固着する。従って、網体３又は支柱２に落石などの衝撃力が加わり、ロープ材７に張力が発生すると、緩衝具８に対してロープ材７の端部７Ｂが摺動し、この摺動はストッパ43が把持具32に係止するまで摺動可能であって、摺動によりエネルギーの一部を吸収できる。
【００２４】
特に、連続したロープ材７により、支柱２の上端を支持し、その連続したロープ材７の途中に緩衝具８を設けたから、網体３又は支柱２に落石が衝突すると、その衝突部分のみではなく、連続するロープ材７全体に張力が発生し、全てのアンカー21，21Ａがその張力を支持し、アンカー21，21Ａ及びロープ材７全体で落石の力に対抗し、かつ何処に衝突しても、ロープ材７に所定以上の張力が発生すると、両側の緩衝具８，８においてロープ材７が摩擦摺動し、衝撃力を効果的に吸収することができ、従来のように全てのロープ材に緩衝具を設ける必要がない。
【００２５】
前記網体には、横ロープ材５が上端と下端とその間に複数段に設けられており、その横ロープ材５の左右両側の斜面Ｓには、前記アンカー21Ａが設置され、横ロープ材５には、両端のアンカー21Ａ，21Ａと網体３の両端との間において、前記緩衝具８を設けており、緩衝具８の位置において、横ロープ材５を分割し、それらロープ材５の分割端部５Ａ，５Ｂを緩衝具８により連結している。尚、分割端部５Ｂが、余長部であって把持体34，34に把持され、分割端部５Ａがアンカー21Ａ側に連結され、分割端部５Ａの輪部５ＷがＵボルト37に連結される。尚、摺動によりエネルギーの一部を吸収する点は、前記ロープ材７と同一である。
【００２６】
さらに、両端の支柱２，２には、控えロープ材９が連結され、この控えロープ材９は一端を前記支柱２の上部に連結し、他端を両端のアンカー21Ａと最上段の横ロープ材５のアンカー21Ａとの間の位置に配置したアンカー21Ｂに連結し、控えロープ材９には、アンカー21Ｂと支柱２との間において、前記緩衝具８を設けており、緩衝具８の位置において、控えロープ材９を分割し、それらロープ材９の分割端部９Ａ，９Ｂを緩衝具８により連結している。尚、分割端部９Ｂが余長部であって、把持体34，34に把持され、分割端部９Ａがアンカー21Ｂ側に連結され、分割端部９Ａの輪部９ＷがＵボルト37に連結される。尚、横ロープ材５に対して、控えロープ材９は平面において、鋭角をなすように配置されている。尚、摺動によりエネルギーの一部を吸収する点は、前記ロープ材７と同一である。
【００２７】
また、前記横ロープ材５の途中には、ループ部51が形成され、ループ部51の重合部51Ａの横ロープ材５，５を所定の挟持力で挟持する緩衝具52が設けられている。この緩衝具52は、一対の把持体53，53の合せ目に、重合部51Ａの横ロープ材５，５を嵌合する溝54，54を備え、それら把持体53，53を挿通したボルト55とこのボルト55に螺合したナット56により締め付けることにより重合部51Ａの横ロープ材５，５を所定の摩擦力で把持するように構成している。
【００２８】
さらに、ループ部51の横ロープ材５には、金属などの硬質材料からなる複数のリング体57が遊嵌され、ループ部51の中央にストッパ58を固着している。そして、ストッパ58の両側にはほぼ同数で複数の前記リング体57が配置されている。
【００２９】
そして、網体３に衝撃力が作用し、横ロープ材５に所定以上の張力が発生すると、ループ部51が縮小する方向に重合部51Ａの横ロープ材５が摺動し、その摩擦力により衝撃力が吸収される。また、その摺動は、リング体57がストッパー58，58が把持体53に当接するまで可能であり、当接した後は、ループ部51がそれ以上縮小することがなく、全体として横ロープ材５の引張強度が低下することがない。すなわち、横ロープ材５は、ワイヤーロープなどからなるが、リング体57による規制により、所定の曲率までループ部51が縮小しても、折れ曲がるなどの心配がなく、摺動後も引張強度が低下することが防止される。
【００３０】
また、横ロープ材４，４間には補助横ロープ材44が設けられ、縦ロープ材５，５の間には補助縦ロープ材45が設けられ、周囲の縦，横ロープ材４，５を含む前記縦ロープ材４，
44と横ロープ材５，45の交差箇所において、縦，横ロープ材４，44，５，45は交差連結具46により連結されている。
【００３１】
このように本実施例では、地盤に立設した複数本の支柱２に落石防護網の上端を固定すると共に、その上方に複数個のアンカー21，21Ａを設置し、これらアンカー21，21Ａと支柱２にそれぞれ滑車23，23Ａを取り付け、これらアンカー21，21Ａと支柱２との間に連続したロープ材７を滑車23，23Ａを介して上下交互に架け渡し、このロープ材７の端部を固定した落石防護網構造において、アンカー21，21Ａと支柱２にそれぞれ滑車23，23Ａを上下方向揺動可能に取り付け、ロープ材７の途中に、所定以上の張力が作用したとき該ロープ材７の摩擦摺動を許容する緩衝具８を設けたから、網体３又は支柱２が落石の衝撃力を受けると、連続したロープ材７に張力が発生し、全てのアンカー21，21Ａがその張力を支持し、全てのアンカー21，21Ａ及びロープ材７の全体で落石の力に対抗する。そして、連続するロープ材７に所定以上の張力が作用すると、緩衝具８において、ロープ材７が摩擦摺動して衝撃力を吸収する。従って、従来のようにアンカーに連結した全てのロープ材に緩衝具を設ける必要が無くなる。また、滑車23，23Ａが上下方向揺動可能に設けられているから、支柱２が傾動しても、連続するロープ材７を有効に作用させることができる。
【００３２】
また、このように本実施例では、防護網たる網体３の横ロープ材５の端部を固定し、横ロープ材５の端部側に緩衝具８を設けたから、網体３が落石の衝撃力を受け、横ロープ材５に所定以上の張力が作用すると、緩衝具８において、ロープ材５が摩擦摺動して衝撃力を吸収する。
【００３３】
また、このように本実施例では、横ロープ材５の途中にループ部51を形成し、このループ部51の横ロープ材５の重合部51Ａを所定の摩擦力で挟持するループ部緩衝具52を備えるから、網体３が落石の衝撃力を受け、横ロープ材５に所定以上の張力が作用すると、ループ部51が縮小することにより、重合部51Ａにおいて、横ロープ材５が摩擦摺動して衝撃力を吸収する。
【００３４】
また、このように本実施例では、両端の支柱２，２と、これら両端の支柱２，２の左右外側で上方にアンカー21Ｂ，21Ｂを設け、このアンカー21Ｂと支柱２とを控えロープ材９により連結し、この控えロープ材９の途中に緩衝具８を設けたから、網体３又は支柱２に落石の衝撃力を受け、控えロープ材９に所定以上の張力が作用すると、緩衝具８において、控えロープ材９が摩擦摺動して衝撃力を吸収する。また、控えロープ材９は左右外側向きに配置されているため、支柱２の左右方向の倒れを規制できる。
【００３５】
また、実施例上の効果として、ループ部51は、ストッパ58の両側に複数のリング体57を設けているから、リング体57がストッパー58，58が把持体53に当接した後は、ループ部51がそれ以上縮小することがなく、全体として横ロープ材５の引張強度が低下することがない。
【００３６】
以上、本発明の実施例について詳述したが、本発明は、前記実施例に限定されるものではなく、本発明の要旨の範囲内で種々の変形実施が可能である。例えば、請求項１においては、支柱以外に吊り支点を設けてもよい。また、実施例では、連続するロープ材に２個の緩衝具を設けたが、その数は１個でもよく、少なくとも支柱の数より少なければよい。
【図面の簡単な説明】
【００３７】
【図１】本発明の実施例１を示す防護網構造の上部の平面図である。
【図２】同上、防護網構造の上部の側面図である。
【図３】同上、防護網構造の全体平面説明図である。
【図４】同上、連結具の正面図である。
【図５】同上、滑車を示し、図５（Ａ）は正面図、図５（Ｂ）は平面図である。
【図６】同上、緩衝具の正面図である。
【図７】同上、緩衝具の平面図である。
【図８】同上、緩衝具の把持具の側面図である。
【図９】同上、緩衝具の側面図である。
【図１０】同上、２つの把持具を有する緩衝具の正面図である。
【図１１】同上、ループ部の正面図である。
【図１２】同上、ループ部に設ける緩衝具の側面図である。
【符号の説明】
【００３８】
１  落石防護構造
２  支柱
３  網体（落石防護網）
４  縦ロープ材
５  横ロープ材
６  金網（網）
７  連続したロープ材
８  緩衝具
９  控えロープ材
21  アンカー
21Ａ  アンカー
22  連結体
23  滑車（支柱側）
23Ａ  滑車（吊り支点）
51  ループ部
51Ａ  重合部
52  ループ部緩衝具
【図１】
0005007957.tif 000002
【図２】
0005007957.tif 000003
【図３】
0005007957.tif 000004
【図４】
0005007957.tif 000005
【図５】
0005007957.tif 000006
【図６】
0005007957.tif 000007
【図７】
0005007957.tif 000008
【図８】
0005007957.tif 000009
【図９】
0005007957.tif 000010
【図１０】
0005007957.tif 000011
【図１１】
0005007957.tif 000012
【図１２】
0005007957.tif 000013